(57)【要約】【課題】磁力の強い空間で組み立て作業を行う場合にも、組み立て作業性が低下することを抑制できる組立装置を提供することを目的とする。【解決手段】組立装置１００は、部品を被組立品に取り付けて製品を組み立てるための組立具と、被組立品から発せられた磁気を遮蔽する遮蔽体３とを備えている。遮蔽体３は、組立具に装着された部品への磁気を遮蔽するための第１の位置と、部品を被組立品に取り付けるための第２の位置とを移動可能に組立具に設けられている。【選択図】図１
2019076988.tif 000002
【特許請求の範囲】
【請求項１】
部品を被組立品に取り付けて製品を組み立てるための組立具と、
前記被組立品から発せられた磁気を遮蔽する遮蔽体と、
を備え、
前記遮蔽体は、前記組立具に装着された前記部品への前記磁気を遮蔽するための第１の位置と、前記部品を前記被組立品に取り付けるための第２の位置とを移動可能に前記組立具に設けられた、組立装置。
【請求項２】
前記部品はネジであり、
前記組立具は、前記ネジを回転させて前記被組立品に取り付けるための、ドライバービットを有するドライバーであり、
前記遮蔽体は、軟磁性体の材質からなる円筒状であり、
前記遮蔽体は、前記ドライバービットの回転軸と中心軸とを同じとし、前記ドライバービットの外周部に前記第１の位置と前記第２の位置とを移動可能に弾性体を介して設けられた、請求項１記載の組立装置。
【請求項３】
前記遮蔽体は、自身を前記被組立品に当接させた状態で、前記第２の位置から前記第１の位置にガイドする位置決め部を備えた、請求項２記載の組立装置。
【請求項４】
前記遮蔽体の外周部を覆い、衝撃を吸収する材質からなる保護具をさらに備えた、請求項１から請求項３のいずれか１項に記載の組立装置。
【発明の詳細な説明】
【技術分野】
【０００１】
本発明は、部品を被組立品に取り付けて製品を組み立てるための組立装置に関するものである。
【背景技術】
【０００２】
従来の組立装置は、ドライバービットに被嵌する磁性体のリング体を備え、ドライバービットにネジ等が当接した際、ドライバービットからネジ等が落下することを防止している（例えば、特許文献１参照）。
【先行技術文献】
【特許文献】
【０００３】
【特許文献１】特開２００１−３１０２６８号公報
【発明の概要】
【発明が解決しようとする課題】
【０００４】
上記のように、特許文献１に記載の組立装置では、ドライバービットに磁力を付与したリング体を被嵌しネジを保持していた。しかし、例えばスピーカーの永久磁石の近傍などのような磁力の強い空間で組み立て作業が行われると、ドライバービットに保持されていたネジが磁性体に吸着されるため、組み立て作業性が著しく低下するという問題があった。
【０００５】
そこで、本発明は、磁力の強い空間で組み立て作業を行う場合にも、組み立て作業性が低下することを抑制できる組立装置を提供することを目的とする。
【課題を解決するための手段】
【０００６】
本発明に係る組立装置は、部品を被組立品に取り付けて製品を組み立てるための組立具と、前記被組立品から発せられた磁気を遮蔽する遮蔽体とを備え、前記遮蔽体は、前記組立具に装着された前記部品への前記磁気を遮蔽するための第１の位置と、前記部品を前記被組立品に取り付けるための第２の位置とを移動可能に前記組立具に設けられたものである。
【発明の効果】
【０００７】
本発明によれば、組立装置は、部品を被組立品に取り付けて製品を組み立てるための組立具と、被組立品から発せられた磁気を遮蔽する遮蔽体とを備え、遮蔽体は、組立具に装着された部品への磁気を遮蔽するための第１の位置と、部品を被組立品に取り付けるための第２の位置とを移動可能に組立具に設けられた。
【０００８】
したがって、部品を組立具に装着する際に遮蔽体は第１の位置に位置し、部品を被組立品に取り付ける際に遮蔽体は第２の位置に位置するため、磁力の強い空間で組み立て作業を行う場合にも、部品を被組立品に取り付ける前に、磁気により部品が被組立品に吸着されることなく組み立て作業を行うことができる。これにより、組み立て作業性の低下を抑制することができる。
【図面の簡単な説明】
【０００９】
【図１】実施の形態に係る組立装置がネジを保持している状態の正面図である。
【図２】組立装置がネジをスピーカーに取り付けている状態の正面図である。
【図３】ドライバーが有するドライバービットと遮蔽体の分解正面図である。
【図４】組立装置がネジをスピーカーに取り付けている状態の平面図である。
【図５】組立装置がネジをスピーカーに取り付けている状態の動作説明図である。
【発明を実施するための形態】
【００１０】
＜実施の形態＞
（構成）
本発明の実施の形態について、図面を用いて以下に説明する。図１は、実施の形態に係る組立装置１００がネジ２を保持している状態の正面図である。図２は、組立装置１００がネジ２をスピーカー１０に取り付けている状態の正面図である。図３は、ドライバー７が有するドライバービット１と遮蔽体３の分解正面図である。図４は、組立装置１００がネジ２をスピーカー１０に取り付けている状態の平面図である。
【００１１】
図１と図２に示すように、組立装置１００は、ドライバー７、遮蔽体３、保護具４、および弾性体としてのバネ５を備えている。
【００１２】
ドライバー７は、部品としてのネジ２を被組立品に取り付けて製品を組み立てるための組立具である。より具体的には、ドライバー７は、ネジ２を回転させて被組立品に取り付けるための組立具であり、ドライバービット１およびドライバー把握部６を備えている。ドライバービット１は、金属製材料からなり、先端部に装着されたネジ２を回転させる。ドライバー把握部６は、例えば樹脂製材料からなる。ドライバー把握部６の下端部にドライバービット１の基端部が固定されることで、ドライバー把握部６はドライバービット１を把持する。なお、本実施の形態では、被組立品としてスピーカー１０を採用した場合について説明する。
【００１３】
遮蔽体３は、軟磁性体材料からなる円筒状であり、その内径はドライバービット１の外径およびネジ２の頭部より大きい。遮蔽体３は、ドライバービット１の回転軸と中心軸とを同じとしている。バネ５は、一端がドライバー把握部６の下端に固定され、他端が遮蔽体３の上端に固定されている。遮蔽体３は、ドライバービット１の外周部にバネ５を介して設けられている。遮蔽体３は、ドライバービット１の基端側に挿通されたバネ５を介してドライバー把握部６に固定されている。遮蔽体３の長さは、ドライバービット１の長さより小さく、より具体的には、ドライバービット１の長さの約２／３である。これにより、遮蔽体３は、ドライバービット１の先端側を覆うことが可能である。
【００１４】
ドライバービット１の先端部またはその近傍に磁性体が設けられているため、ドライバービット１はネジ２を装着し保持することができる。
【００１５】
遮蔽体３は、バネ５を介してドライバー把握部６に固定されているため、バネ５の弾性力により、上下方向に移動可能である。より具体的には、遮蔽体３は、バネ５の弾性力により、ドライバービット１に装着されたネジ２への磁気を遮蔽するための第１の位置（図１参照）と、ネジ２をスピーカー１０に取り付けるための第２の位置（図２参照）とを移動可能である。なお、通常状態では、遮蔽体３はバネ５の付勢力により図２に示す第２の位置に位置している。
【００１６】
図３と図４に示すように、遮蔽体３は、被組立品であるスピーカー１０との接触する部分の形状に合わせて、ネジ締めする際の位置決めが行えるように、遮蔽体３の外周部の一部に位置決め部３ａが形成されている。位置決め部３ａは、スピーカー１０の円形部分である永久磁石１０ａの側面に当接するように、円筒状の内側に凹んだ形状、すなわち、平面視にて円弧状に形成されている。そのため、位置決め部３ａは、永久磁石１０ａの側面に当接した状態で遮蔽体３を第２の位置から第１の位置にガイドすることが可能である。
【００１７】
保護具４は、衝撃を吸収する材質からなり、遮蔽体３の外周部全体を覆っている。ここで、衝撃を吸収する材質とは、例えばウレタンスポンジ等の柔らかい材質である。
【００１８】
（動作）
次に、組立装置１００の動作について説明する。図５は、組立装置１００がネジ２をスピーカー１０に取り付けている状態の動作説明図である。
【００１９】
図１に示すように、ネジ２をドライバービット１に装着するときは、遮蔽体３が下方の第１の位置に押されることで、ドライバービット１の先端側およびネジ２が遮蔽体３により覆われる。これにより、ネジ２はドライバービット１に装着され保持される。
【００２０】
ネジ２をスピーカー１０に取り付けるときは、図１に示す状態からドライバー把握部６を持ってネジ２をスピーカー１０の所望のネジ穴１０ｂに取り付けようとして、遮蔽体３をスピーカー１０に押し当てる。すると、図２に示すように、遮蔽体３は、バネ５の付勢力により上方の第２の位置に移動し、ネジ２がネジ穴１０ｂに入り込む。
【００２１】
また、図４および図５に示すように、遮蔽体３の位置決め部３ａを、スピーカー１０の永久磁石１０ａの側面に当接させ、ドライバービット１の回転軸と中心軸とを同じにし、さらにネジ２がネジ穴１０ｂの中心になるようにネジ締めの位置決めを行うことで、ネジ２がスピーカー１０と製品の筐体１１に精度よく取り付けられる。
【００２２】
（効果）
以上のように実施の形態に係る組立装置１００は、部品を被組立品に取り付けて製品を組み立てるための組立具と、被組立品から発せられた磁気を遮蔽する遮蔽体３とを備え、遮蔽体３は、組立具に装着された部品への磁気を遮蔽するための第１の位置と、部品を被組立品に取り付けるための第２の位置とを移動可能に組立具に設けられた。
【００２３】
したがって、部品を組立具に装着する際に遮蔽体３は第１の位置に位置し、部品を被組立品に取り付ける際に遮蔽体３は第２の位置に位置するため、磁力の強い空間で組み立て作業を行う場合にも、部品を被組立品に取り付ける前に、磁気により部品が被組立品に吸着されることなく組み立て作業を行うことができる。これにより、組み立て作業性の低下を抑制することができる。よって、製品の歩留り向上を図ることができる。
【００２４】
特に、組立装置１００は強磁性の永久磁石１０ａを有するスピーカー１０を製品の筐体にネジ締めで取り付ける作業において好適に利用できるものである。部品はネジ２であり、組立具は、ネジ２を回転させてスピーカー１０に取り付けるための、ドライバービット１を有するドライバー７であり、遮蔽体３は、軟磁性体の材質からなる円筒状であり、遮蔽体３は、ドライバービット１の回転軸と中心軸とを同じとし、ドライバービット１の外周部に第１の位置と第２の位置とを移動可能にバネ５を介して設けられた。
【００２５】
したがって、強磁性の永久磁石１０ａを有するスピーカー１０にネジ２を取り付ける作業においても、ネジ２をスピーカー１０に取り付ける前に、磁気によりネジ２がスピーカー１０に吸着されることなくネジ２を取り付ける作業を行うことができる。これにより、作業性の低下を抑制することができる。また、ネジ２をスピーカー１０と製品の筐体１１に精度よく取り付けることができる。
【００２６】
遮蔽体３は、自身をスピーカー１０の永久磁石１０ａに当接させた状態で、第２の位置から第１の位置にガイドする位置決め部３ａを備えた。
【００２７】
したがって、遮蔽体３が永久磁石１０ａの側面に当接した状態で、ドライバービット１の中心およびネジ２がネジ穴１０ｂの中心になるようにネジ２をガイドすることができる。これにより、遮蔽体３によりネジ２の位置が目視できなくとも、スピーカー１０のネジ穴１０ｂとネジ２との相対位置を明確にすることができ、さらに組み立て作業の効率を高めることができる。
【００２８】
遮蔽体３の外周部を覆い、衝撃を吸収する材質からなる保護具４をさらに備えた。したがって、永久磁石１０ａの磁界の影響を受け、軟磁性体の材質からなる遮蔽体３が永久磁石１０ａに吸着される。遮蔽体３が永久磁石１０ａと当接する際、保護具４により遮蔽体３と永久磁石１０ａとの接触の衝撃を緩和することができるため、スピーカー１０に傷がつくことを抑制できる。これにより、組み立て作業の効率低下を抑制することができる。
【００２９】
なお、ドライバー７に代えて、電動ドリルドライバーなどの電気駆動のドライバーを採用してもよい。この場合においても、遮蔽体３がバネ等を介して電気駆動のドライバーのドライバー把握部に移動可能に設けられてもよい。
【００３０】
また、遮蔽体３は、光透過性を有する透明の磁性材料を用いて形成されてもよい。透明な遮蔽体３によりネジ２の装着および被組立品のネジ締め位置の確認が容易となり、組み立て作業の効率がさらに高くなる。ここで、透明の磁性材料とは、例えばナノグラニュラー材料である。
【００３１】
なお、本発明は、その発明の範囲内において、実施の形態を適宜、変形、省略することが可能である。
【符号の説明】
【００３２】
１  ドライバービット、２  ネジ、３  遮蔽体、３ａ  位置決め部、４  保護具、７  ドライバー、１０  スピーカー、１００  組立装置。
【図１】
2019076988.tif 000003
【図２】
2019076988.tif 000004
【図３】
2019076988.tif 000005
【図４】
2019076988.tif 000006
【図５】
2019076988.tif 000007